(57)【要約】【課題】利用者の留守中に緊急地震速報を受信した際に、その旨を、利用者が後に確認できるような操作装置を提供する。【解決手段】熱源装置の回路に信号接続されて屋内に配置される操作装置としてのリモコン装置１，２に、緊急地震速報を受信する緊急地震速報受信部４０と、該緊急地震速報受信部４０により受信した緊急地震速報の情報を履歴として記憶する地震情報記憶部４４とを設ける。地震情報記憶部４４は、緊急地震速報受信部４０により受信した緊急地震速報の震度等の情報と、その緊急地震速報受信日時と緊急地震速報を受信してからの経過時間の少なくとも一方の情報を記憶し、その記憶情報を必要に応じて表示画面３２に表示可能とする。【選択図】図１
2010239475.tif 000002
【特許請求の範囲】
【請求項１】
熱源装置または家電装置の回路に信号接続されて屋内に配置される操作装置において、緊急地震速報を受信する緊急地震速報受信部と、該緊急地震速報受信部により受信した緊急地震速報の情報を履歴として記憶する地震情報記憶部とを有することを特徴とする操作装置。
【請求項２】
地震情報記憶部は、緊急地震速報受信部により受信した緊急地震速報の情報と共に、その緊急地震速報受信日時と緊急地震速報を受信してからの経過時間の少なくとも一方の情報を記憶する構成としたことを特徴とする請求項１記載の操作装置。
【請求項３】
地震情報記憶部は、緊急地震速報の情報うち少なくとも地震の震度を記憶することを特徴とする請求項１または請求項２記載の操作装置。
【請求項４】
情報を表示する情報表示部と、地震情報記憶部が記憶している情報を前記情報表示部に表示させるための表示操作部とを有することを特徴とする請求項１または請求項２または請求項３記載の操作装置。
【請求項５】
地震情報記憶部は、緊急地震速報受信部により受信した緊急地震速報の情報を複数件記憶する機能を有し、該複数件の緊急地震速報の情報のうち表示操作部の操作に応じて対応する緊急地震速報の情報を選択的に情報表示部に表示する構成としたことを特徴とする請求項４記載の操作装置。
【請求項６】
表示操作部の操作に応じ、地震情報記憶部が記憶している緊急地震速報の件数を情報表示部に表示する構成としたことを特徴とする請求項５記載の操作装置。
【請求項７】
地震情報記憶部が記憶している情報と共に、緊急地震速報受信部が受信した緊急地震速報の内容を管理している外部の地震情報管理機構に情報端末を用いインターネットを通じてアクセスするための通信アクセスコードを情報表示部に表示することを特徴とする請求項４乃至請求項６のいずれか一つに記載の操作装置。
【請求項８】
地震情報記憶部が記憶している緊急地震速報を消去するための地震速報履歴消去操作部が設けられていることを特徴とする請求項１乃至請求項７のいずれか一つに記載の操作装置。
【請求項９】
地震情報記憶部が記憶している情報を消去するための手順をガイドする情報消去画面を情報表示部に表示させて地震情報記憶部が記憶している緊急地震速報を消去する操作を行うための地震速報履歴消去操作部を有していることを特徴とする請求項４乃至請求項８のいずれか一つに記載の操作装置。
【発明の詳細な説明】
【技術分野】
【０００１】
本発明は、例えば給湯器等の熱源装置または家電装置に信号接続されて用いられ、緊急地震速報を受信可能な操作装置に関するものである。
【背景技術】
【０００２】
浴槽への自動湯張り機能を備えた給湯器等の熱源装置には、熱源装置を遠隔操作する操作装置としてのリモコン装置が信号接続され、浴室や台所に設置されている。これら浴室配置のリモコン装置と台所配置のリモコン装置は、一般に、熱源装置の制御基板（制御装置）を介して信号接続されている。
【０００３】
リモコン装置には、情報を表示する表示画面が設けられており、この表示画面に、給湯や湯張りの設定温度、浴槽水位等の給湯関連情報の表示を行うことが一般に行なわれている。また、例えば熱源装置が浴槽への自動湯張り機能を有している場合に、湯張りが終了したときに、リモコン装置から、「お風呂が沸きました」といった音声ガイダンスを発信する機能を備えたリモコン装置も実用化されている。このように、リモコン装置から音声ガイダンスを発信すると、入浴のタイミングを知ることができ、利用者に快適な入浴を促すことができる（例えば、特許文献１、参照）。
【０００４】
ところで、近年、図１１に示すような、緊急地震速報の配信システムが提案され、一部、実用化されている。緊急地震速報は、地震の発生直後に、震源に近い地震計でとらえた観測データを解析して震源や地震の規模（マグニチュード）を直ちに推定し、これに基づいて各地での主要動の到達時刻や震度を推定し、可能な限り速く知らせる情報である。この情報は、同図に示すように、気象庁６０から発信される。そして、この緊急地震速報は、例えばREIC（地震速報連絡協議会）等の配信事業者６１等を介し、放送局等の、屋内に配置された受信機６４により受信される。
【０００５】
受信機６４は、放送局の他、鉄道関連会社、役所等の、緊急地震速報をいち早く受信し、対処することが必要な公共性を有する所に設けられている。また、最近では、受信機６４をマンション等の集合住宅の管理室等に設けることが検討され、実際に設置されているところもある。そして、大きな地震が発生した場合に、各住宅の住民がマンション等の集合住宅から外に避難する必要性が生じる場合を考慮し、受信機６４が緊急地震速報を受信したときに、その信号を、例えば管理室の集中管理によって各住宅のインターホンに加えることが提案されている。
【０００６】
さらに、放送局の受信機６４からテレビジョンに緊急地震速報を伝えて画面表示する提案や、給湯器等の熱源装置の遠隔操作用等に浴室や台所に設けられているリモコン装置を、マンションの受信機６４に接続されたインターホンに信号接続し、そのリモコン装置に緊急地震速報の受信を検知する機能を持たせて、リモコン装置から、もうすぐ地震がくることを報知するようにした提案もなされている。
【先行技術文献】
【特許文献】
【０００７】
【特許文献１】特開２００５−２３３４４２号公報
【発明の概要】
【発明が解決しようとする課題】
【０００８】
しかしながら、放送局の受信機６４からテレビジョンに緊急地震速報を伝えても、そのテレビジョンには緊急地震速報の記憶は残らず、また、リモコン装置を用いて緊急地震速報の受信報知を行う提案においても、リモコン装置は緊急地震速報の受信履歴を残す機能は有していない。したがって、利用者の留守中に緊急地震速報が発信された場合には、利用者が、帰宅後に、リモコン装置等が緊急地震速報を受信したかどうかを確認することはできなかった。
【０００９】
また、前記のように、受信機６４とインターホンとを介してリモコン装置に緊急地震速報を受信させる構成においては、受信機６４からダミーの緊急地震速報の信号を送り、リモコン装置が緊急地震速報の受信を的確に行えるかどうか、つまり、緊急地震速報の受信機能が正常か否かを確認する試みがなされているところがあるが、このダミーの緊急地震速報の信号送信時に利用者が留守の場合には、リモコン装置がダミー信号を受信したかどうかが分からないため、緊急地震速報の受信機能が正常か否かを確認することができなかった。
【００１０】
本発明は、上記課題を解決するためになされたものであり、その目的は、緊急地震速報を受信した際、留守であった利用者が、帰宅後に緊急地震速報の受信に関する情報を知ることができるようにし、また、留守がちな利用者であっても、緊急地震速報の受信機能が正常か否かも確認可能な、利用者が使用する端末であるリモコン装置等の操作装置を提供することにある。
【課題を解決するための手段】
【００１１】
本発明は上記目的を達成するために、次の構成をもって課題を解決する手段としている。すなわち、第１の発明は、熱源装置または家電装置の回路に信号接続されて屋内に配置される操作装置において、緊急地震速報を受信する緊急地震速報受信部と、該緊急地震速報受信部により受信した緊急地震速報の情報を履歴として記憶する地震情報記憶部とを有する構成をもって課題を解決する手段としている。
【００１２】
また、第２の発明は、前記第１の発明の構成に加え、前記地震情報記憶部は、緊急地震速報受信部により受信した緊急地震速報の情報と共に、その緊急地震速報受信日時と緊急地震速報を受信してからの経過時間の少なくとも一方の情報を記憶する構成としたことを特徴とする。
【００１３】
さらに、第３の発明は、前記第１または第２の発明の構成に加え、前記地震情報記憶部は、緊急地震速報の情報のうち少なくとも地震の震度を記憶することを特徴とする。
【００１４】
さらに、第４の発明は、前記第１または第２または第３の発明の構成に加え、情報を表示する情報表示部と、地震情報記憶部が記憶している情報を前記情報表示部に表示させるための表示操作部とを有することを特徴とする。
【００１５】
さらに、第５の発明は、前記第４の発明の構成に加え、前記地震情報記憶部は、緊急地震速報受信部により受信した緊急地震速報の情報を複数件記憶する機能を有し、該複数件の緊急地震速報の情報のうち表示操作部の操作に応じて対応する緊急地震速報の情報を選択的に情報表示部に表示する構成としたことを特徴とする。
【００１６】
さらに、第６の発明は、前記第５の発明の構成に加え、前記表示操作部の操作に応じ、地震情報記憶部が記憶している緊急地震速報の件数を情報表示部に表示する構成としたことを特徴とする。
【００１７】
さらに、第７の発明は、前記第４乃至第６のいずれか一つの発明の構成に加え、前記地震情報記憶部が記憶している情報と共に、緊急地震速報受信部が受信した緊急地震速報の内容を管理している外部の地震情報管理機構に情報端末を用いインターネットを通じてアクセスするための通信アクセスコードを情報表示部に表示することを特徴とする。
【００１８】
さらに、第８の発明は、前記第１乃至第７のいずれか一つの発明の構成に加え、前記地震情報記憶部が記憶している緊急地震速報を消去するための地震速報履歴消去操作部が設けられていることを特徴とする。
【００１９】
さらに、第９の発明は、前記第４乃至第８のいずれか一つの発明の構成に加え、地震情報記憶部が記憶している情報を消去するための手順をガイドする情報消去画面を情報表示部に表示させて地震情報記憶部が記憶している緊急地震速報を消去する操作を行うための地震速報履歴消去操作部を有していることを特徴とする。
【発明の効果】
【００２０】
本発明の操作装置は、熱源装置または家電装置に信号接続されて屋内に配置されており、この操作装置は、緊急地震速報受信部によって緊急地震速報を受信し、その受信した緊急地震速報の情報を、地震情報記憶部によって履歴として記憶する。したがって、留守であった利用者が、その帰宅後に、地震情報記憶部が記憶した履歴に基づいて適宜の手段を用いることにより、帰宅後に緊急地震速報の受信に関する情報を知り得るようにすることができる。また、操作装置の緊急地震速報受信機能確認のために、ダミーの緊急地震速報信号が利用者の留守中に発信された場合でも、そのダミー信号の受信履歴を記憶することにより、利用者が、帰宅後にダミー信号受信に関する情報を知り得るようにでき、操作装置の緊急地震速報受信機能が正常であるか否かを確認できるようにすることができる。
【００２１】
また、地震情報記憶部は、緊急地震速報受信部により受信した緊急地震速報の情報と共に、その緊急地震速報受信日時と緊急地震速報を受信してからの経過時間の少なくとも一方の情報を記憶する構成の本発明によれば、地震情報記憶部の記憶に基づき、留守であった利用者が、その帰宅後に、緊急地震速報の受信日時と緊急地震速報を受信してからの経過時間の少なくとも一方の情報を知り得るようにすることができる。
【００２２】
さらに、本発明において、地震情報記憶部は、緊急地震速報の情報のうち少なくとも地震の震度を記憶する構成によれば、留守であった利用者が、その帰宅後に、地震情報記憶部の記憶に基づき、緊急地震速報の情報のうち少なくとも地震の震度を知り得るようにすることができる
【００２３】
さらに、本発明において、情報を表示する情報表示部と、地震情報記憶部が記憶している情報を前記情報表示部に表示させるための表示操作部とを有する構成によれば、表示操作部の操作に応じ、地震情報記憶部が記憶している情報を情報表示部に表示して、利用者に知らせることができる。
【００２４】
さらに、本発明において、地震情報記憶部は、緊急地震速報受信部により受信した緊急地震速報の情報を複数件記憶する機能を有し、該複数件の緊急地震速報の情報のうち表示操作部の操作に応じて対応する緊急地震速報の情報を選択的に情報表示部に表示する構成によれば、表示操作部の操作に応じて対応する緊急地震速報の情報を選択的に情報表示部に表示することにより、利用者が選択した情報を、利用者に表示によって知らせることができる。
【００２５】
さらに、本発明において、表示操作部の操作に応じ、地震情報記憶部が記憶している緊急地震速報の件数を情報表示部に表示する構成によれば、地震情報記憶部が記憶している緊急地震速報の件数を利用者に知らせることができる。
【００２６】
さらに、本発明において、地震情報記憶部が記憶している情報と共に、通信アクセスコードを情報表示部に表示する構成によれば、留守であった利用者が、その帰宅後に、情報表示部に表示された通信アクセスコードを用いて外部の地震情報管理機構にアクセスできるようにすることができ、利用者が緊急地震速報の詳しい情報を知り得るようにすることができる。
【００２７】
さらに、本発明において、地震情報記憶部が記憶している緊急地震速報を消去するための地震速報履歴消去操作部が設けられている構成によれば、例えば熱源装置や家電装置の施工業者等が試運転時に地震速報履歴消去操作部を操作することにより、必要に応じて、地震情報記憶部が記憶している緊急地震速報を消去できるので便利である。
【００２８】
さらに、本発明において、地震情報記憶部が記憶している情報を消去するための手順をガイドする情報消去画面を情報表示部に表示させて、地震情報記憶部が記憶している緊急地震速報を消去する操作を行うための地震速報履歴消去操作部を有している構成によれば、熱源装置や家電装置の施工業者等が、試運転時に、情報表示画面の表示にしたがって操作することにより、地震情報記憶部が記憶している緊急地震速報を消去できるので、緊急地震速報消去作業の利便性を高めることができる。
【図面の簡単な説明】
【００２９】
【図１】本発明に係る操作装置の一実施例における緊急地震速報の受信と報知のための制御構成を説明するためのブロック構成図である。
【図２】実施例の操作装置を用いた地震速報伝達システムの例を示すブロック図である。
【図３】実施例の風呂リモコン装置の外観説明図である。
【図４】図３に示した風呂リモコン装置の蓋部を開いた状態を示す説明図である。
【図５】実施例の台所リモコン装置の外観説明図である。
【図６】インターホンから実施例の操作装置に発信される、緊急地震速報の震度情報に応じて異なる送信信号の波形例を示す図である。
【図７】台所リモコン装置による緊急地震速報報知の有無を設定するための表示例を示す図である。
【図８】地震速報履歴の表示例を示す図である。
【図９】緊急地震速報の表示画面にＱＲコードを表示する例を示す図である。
【図１０】給湯器のシステム構成例を示す説明図である。
【図１１】従来の緊急地震速報の受信システム例を示す説明図である。
【発明を実施するための形態】
【００３０】
以下、本発明の実施の形態を図面に基づき説明する。
【実施例】
【００３１】
図１０は、本発明に係る一実施例の操作装置と、熱源装置との配置例を示している。本実施例において、操作装置は風呂リモコン装置１および台所リモコン装置２であり、熱源装置は、給湯器２７である。風呂リモコン装置１は屋内の浴室に設置されており、台所リモコン装置２は屋内の台所に設置されている。これらのリモコン装置１，２は、給湯器２７の、リモコン通信回路を持つ制御装置３に信号接続されて給湯器２７の遠隔操作を行うものである。リモコン装置１，２は、壁面に固定され、熱源装置の制御回路（商用電源駆動）からの信号を建物の壁内を配線された信号接続線が、例えばリモコン装置１，２の背面（壁）型からリモコン装置１，２に至る。
【００３２】
給湯器２７は、建物の外に配置されており、例えば給湯機能と、浴槽２６への自動湯張り機能と、追い焚き機能と、足し湯機能と、ぬる湯機能とを具備する。風呂リモコン装置１と台所リモコン装置２は、２芯の信号線を用いて、給湯器２７の回路、つまり、給湯器２７の燃焼制御回路に接続されている。室内には浴槽２６が設置され、給湯器２７と浴槽２６とは、追い焚き循環路２５の戻り管２３と往管２４によって配管接続されている。
【００３３】
風呂リモコン装置１は浴槽２６の近くの浴室側壁に設置されるが、その設置位置は浴槽２６内から風呂リモコン装置１の表示画面が見易く、かつ、風呂リモコン装置１から発信する音声ガイダンス等の音声が聞きやすい位置となっている。また、台所リモコン装置２も、台所での作業中でも、その表示画面が見やすく、かつ、台所リモコン装置２から発信する音声ガイダンス等の音声が聞きやすい位置に設定されている。
【００３４】
図３は、本実施例の風呂リモコン装置１の外観構成を示すもので、風呂リモコン装置１の筐体ケースの表面側には情報表示部としての表示画面３２が設けられている。表示画面３２は、液晶や有機ＥＬ（Ｅｌｅｃｔｒｏ  Ｌｕｍｉｎｅｓｃｅｎｃｅ；エレクトロルミネッセンス）やＬＥＤ（発光ダイオード）によって形成されており、同図においては、この表示画面３２に、「緊急地震速報」の文字が表示されている状態を示す。表示画面３２には、このように、必要に応じて、緊急地震速報の文字が表示されるが、通常は、図４に示すような、給湯関連情報が表示される。この例では、表示画面３２に、給湯設定温度（４２℃）と、湯張り設定温度（４２℃）が示されている。また、給湯器２７の燃焼運転中には、例えば炎のマーク（図示せず）を用いて、給湯器２７が燃焼運転している旨の表示が示されるようになっている（図４においては、燃焼運転休止中）。
【００３５】
なお、表示画面３２に表示される給湯関連情報の例として、例えば、給湯設定温度、湯張り設定温度、湯張り設定水位、風呂温度、湯張り水位、給湯検出温度等の、給湯機能の動作や湯張り機能や保温機能の動作において必要な各種設定値と各種センサ検出値の情報があげられる。
【００３６】
図４に示すように、風呂リモコン装置１は、表示画面３２の形成位置に窓部５０を有する蓋部４８を備え、この蓋部４８は開閉自在に設けられている。蓋部４８を開いた状態における表示画面３２の下側の領域（図のＡで示す領域）に、図示されていない設定関連操作部（操作スイッチ）が設けられており、この設定関連操作部を操作することによって、給湯設定温度の設定や湯張り温度の設定、浴槽水位の設定が適宜行われるようになっている。
【００３７】
操作スイッチとしては、「メニュー」の文字で示されるメニュースイッチ、「△」の印のアップスイッチ、「▽」の印のダウンスイッチ、「前へ」スイッチ、「次へ」スイッチや、「決定」の文字で示される決定スイッチがある。メニュースイッチを押した後に、アップスイッチやダウンスイッチによって、給湯設定温度の設定や湯張り温度の設定の画面を表示画面３２に表示させ、その状態で、適宜の設定値を表示させて、決定スイッチにより決定していくと、各設定値の設定が行われる。なお、操作スイッチを用いて行われる給湯設定温度の設定や湯張り温度の設定、浴槽水位の設定等の設定操作についての説明は省略する。
【００３８】
図３、図４に示すように、表示画面３２の側部には、給湯器２７の可動の有無を操作するための運転オンオフ操作手段としての運転スイッチ３５と、給湯器２７の自動運転を指示する自動スイッチ３６と、給湯器２７の追い焚き運転を指示する追い焚きスイッチ３３と、通話スイッチ３８と、スピーカ３４とが設けられている。
【００３９】
スイッチ３５、３６、３３、３８には、例えばＬＥＤ等により形成されたランプ３９が設けられており、そのスイッチごとに、スイッチの動作が指示されたとき（オン動作されたとき）にはランプ３９の点灯（又は点滅）表示が行われ、スイッチ動作の解除指示がされたとき（オフ動作されたとき）にはランプ３９は消灯されるように構成されている。また、風呂リモコン装置１の筐体ケースの内部には図示されていないマイクが内蔵されている。
【００４０】
運転スイッチ３５は、スイッチオンとすることにより、風呂リモコン装置１の運転をオン（電源をオン）として回路を動作可能な状態にし、スイッチオフとすることにより、運転をオフして回路動作を停止状態とするものである。給湯器２７の給湯機能の動作はこの運転スイッチ３５がオンの状態で行われる。
【００４１】
自動スイッチ３６は、湯張り動作から保温動作にかけての一連の動作の開始と停止を指令するものであり、スイッチオンによりその動作が開始され、スイッチオフの状態で動作停止状態となる。
【００４２】
追い焚きスイッチ３３は、風呂の追い焚きの開始と停止とを指令するものであり、スイッチオンにより追い焚きが開始され、スイッチオフにより追い焚き停止状態とする。
【００４３】
内蔵のマイクとスピーカ３４は、通常は、他のリモコン装置との間で会話を行うときに使用されるもので、例えば、入浴中に風呂リモコン装置１と台所リモコン装置２との間で、入浴している者が台所にいる者に浴室にタオルを持ってきてもらう等の要請を行うときの会話に使用される。このような会話を行うときに通話スイッチ３８を押すことにより、通話先の台所リモコン装置２に呼び出し音が発せられ、居間や、台所にいる者に浴室からの会話の要求を知らせることができるものである。
【００４４】
また、スピーカ３４は、自動スイッチ３６がオンとされて自動湯張り動作が終了したときに、「お風呂が沸きました」といった音声ガイダンスを発信したり、確認音や予め設定されている短い音楽（ＢＧＭ）を発信したりすることも行う。これらの発信音のレベルは、図示されていない音量設定操作手段により可変可能と成している。
【００４５】
図５には台所リモコン装置２の外観構成が示されている。この台所リモコン装置２において、風呂リモコン装置１と共通の構成部分には同一符号を付してあり、台所リモコン装置２の説明において、風呂リモコン装置１の説明との重複説明は省略する。台所リモコン装置２は、前記した風呂リモコン装置１から、追い焚きスイッチ３３や風呂の湯温や水位の設定スイッチが省略され、また、「△」印のアップスイッチ７０、「▽」印のダウンスイッチ７１が設けられている。この例において、台所リモコン装置２は、表示画面３２が小さいので、情報表示に関し、同図に示す「Ｅｑ」のようなコード表示を行うように形成されている。
【００４６】
前記風呂リモコン装置１又は台所リモコン装置２を用いて、図１０に示したような給湯器２７の各運転機能の遠隔操作を行うことができる。つまり、いずれかのリモコン装置１，２の運転スイッチ３５をオンし、この状態で給湯管路１１の給湯先に設けられている給湯栓（図示せず）を開くことにより、給湯機能の動作が開始される。この動作は、入水温度センサ６による入水温と、流量センサ４による給湯量に基づき、給湯温度センサ８による給湯温（出湯温）が給湯設定温度となるように、給湯バーナ１０を燃焼し、給湯熱交換器７を通る水を加熱して湯を作成して、給湯管路１１を通して台所や浴室等の給湯先へ湯を供給する。
【００４７】
給湯器２７の自動運転は、湯張り機能の動作、追い焚き機能の動作、保温機能の動作を連続的に行うもので、運転スイッチ３５がオンされている状態で、前記自動スイッチ３６をオンすることにより開始するものであり、注湯電磁弁１３が開かれ、前記給湯機能の動作と同様に給湯熱交換器７を通って加熱された湯が、給湯管路１１から注湯路１４に入り、戻り管２３と往管２４を有して構成される追い焚き循環路２５を通して浴槽２６へ落とし込まれる。
【００４８】
湯張りが完了したときに注湯電磁弁１３が閉じられ、風呂温度センサ１８によって検出される検出温度が湯張り設定温度（風呂設定温度）よりも低いときには追い焚き機能の動作が行われる。なお、追い焚きスイッチ３３が押されたときにも追い焚き機能の動作は行われるものである。この追い焚き機能の動作は、循環ポンプ２１が駆動されて浴槽２６の湯水が追い焚き循環路２５を通して循環されるものである。自動運転の動作においては、引き続き、予め設定された設定時間だけ、浴槽湯水の温度が風呂の設定温度よりも許容範囲を越えて低くならないように、保温機能の動作が行なわれる。
【００４９】
なお、図１０において、１２は流量センサ、２２は流水スイッチ、１９は循環ポンプ２１の吐出口と追い焚き熱交換器１５の入水口を連通接続する管路、１７は風呂バーナ１６へのガス通路、４９は水量制御弁をそれぞれ示している。
【００５０】
また、本実施例の風呂リモコン装置１と台所リモコン装置２は、前記のような燃焼制御構成に加え、図１に示す緊急地震速報に関する制御構成を有している。つまり、各リモコン装置１，２は、緊急地震速報受信部４０、地震速報報知手段４１、震度情報判断部４２、指示動作受付制御手段４３、地震情報記憶部４４、表示制御部４５、時計機構５１を備えた地震速報関連制御部２０を有しており、地震速報関連制御部２０は、報知設定手段３１、スピーカ３４、動作指示操作手段３７、運転スイッチ３５、表示操作部４６、ランプ３９、表示画面３２、地震速報履歴消去操作部４７に接続されている。
【００５１】
なお、本実施例において、図２に示すように、台所リモコン装置２は、マンション等における個々の住宅６９のインターホン６２に、通信線６５，６６と端子６３とを介して電気的に接続されており、それにより、風呂リモコン装置１も、給湯器２７と通信線６５，６６，６７，６８、端子６３および、台所リモコン装置２を介して、インターホン６２に電気的に接続されている。そして、受信機６４が受信した緊急地震速報を、インターホン６２を介してリモコン装置１，２に加えるシステムが形成されており、インターホン６２は、リモコン装置１，２に緊急地震速報の信号を送信する緊急地震速報送信装置と成している。
【００５２】
図１に示すように、インターホン６２は、信号送信制御部３０を有しており、この信号送信制御部３０は、リモコン装置１，２側に送信する信号の波形と長さの少なくとも一方の形態を、緊急地震速報の震度情報に応じて可変設定して送信する。
【００５３】
例えば、図６には、信号送信制御部３０により台所リモコン装置２側に向けて送信される信号の例が示されている。信号送信制御部３０は、緊急地震速報の震度情報に応じ、例えば図６（ａ）〜（ｄ）に示すように、信号送信直後（信号送信開始から例えば０．１秒の間）の信号波形を変えたり、図６（ｅ）と図６（ｆ）とに示すように、信号の長さを変えたりして信号を送る。また、緊急地震速報が続けて発信された場合には、図６（ｇ）に示すように、先の信号の途中で、次の緊急地震速報の震度情報を割り込ませる態様で、信号を送る。
【００５４】
このようにしてインターホン６２から送信される信号を、台所リモコン装置２の緊急地震速報受信部４０が受信する。また、風呂リモコン装置１の緊急地震速報受信部４０は、台所リモコン装置２と給湯器２７とを介し、インターホン６２から送信される信号を受信する。緊急地震速報受信部４０は、受信した信号を、それぞれ、各リモコン装置（自己のリモコン装置）の震度情報判断部４２に加える。なお、以下の構成においても、各リモコン装置の制御構成要素は、信号を、自己のリモコン装置の対応する制御構成要素に加える。
【００５５】
地震情報判断部４２は、緊急地震速報受信部４０により受信した信号の形態に応じ、つまり、図６にｓ示したような信号の波形や長さに応じて、緊急地震速報の震度情報を判断し、その判断情報を、地震情報記憶部４４と地震速報報知手段４１とに加える。ちなみに、図６（ａ）〜（ｄ）は、地震情報記憶部４４と地震速報報知手段４１の両方に加えられる例であり、図６（ｅ）、（ｆ）は、地震情報記憶部４４のみに加えられる例である。
【００５６】
以上のように、本実施例では、インターホン６２の信号送信制御部３０がリモコン装置１，２側に送信する信号の波形と長さの少なくとも一方の形態を、緊急地震速報の震度情報に応じて可変設定して送信し、リモコン装置１，２の地震情報判断部４２が、その信号の形態に応じて緊急地震速報の震度情報を判断するので、容易に、かつ、的確に、緊急地震速報の震度情報をリモコン装置１，２側において把握することができる。
【００５７】
地震情報記憶部４４は、緊急地震速報受信部４０が受信した受信情報を履歴として記憶するものであり、緊急地震速報受信部４０により受信した緊急地震速報の情報を複数件（例えば４件）記憶する機能を有している。地震情報記憶部４４は、例えば緊急地震速報の信号を２５秒以上といった設定時間以上受信すると履歴として記憶し、この緊急地震速報の記憶時に、震度情報判断部４２が判断した震度情報を記憶する。また、地震情報記憶部４４は、時計機構５１の情報を取り込むことにより、緊急地震速報受信部４０により受信した緊急地震速報の情報と共に、その緊急地震速報を受信してからの経過時間の情報を記憶する構成としている。
【００５８】
地震速報報知手段４１は、緊急地震速報受信部４０により受信した緊急地震速報の情報を、表示と音声の少なくとも一方を含む設定態様で報知するものである。地震速報報知手段４１は、地震情報判断部４２から緊急地震速報の震度の判断情報が加えられると、その情報を、スピーカ３４と表示制御部４５とに加える。
【００５９】
スピーカ３４からは、「緊急地震速報」の音声と、「ピー」という音とが、地震速報報知手段４１が信号を受けてから例えば１分間といった設定時間の間、交互に繰り返し発信される。なお、「緊急地震速報、震度５」といったように、緊急地震速報の音声と共に、震度情報の音声を発信してもよい。これらの音声および「ピー」の音の発信中には、「５分前お知らせ」等のお知らせ用の音声ガイダンスがあっても、その音声ガイダンスはキャンセルされる。また、ＢＧＭ中に「緊急地震速報」の音声発信があった場合は、ＢＧＭは消音となる。そして、「緊急地震速報」の発信音声は、緊急地震速報以外のお知らせ用の音声ガイダンスの設定音量にかかわらず、複数の設定音量レベルのうちの最大レベルに設定される。なお、最大レベルの発信音量よりも大きい専用発信音量を設定できる機能を設け、この専用発信音量で、「緊急地震速報」の音声を発信させるようにしてもよい。
【００６０】
また、お知らせ用の音声ガイダンスの発信音質と同じ音質で発信してもよいし、異なる専用発信音質で発信させるようにしてもよいし、複数回繰り返し行う場合、繰り返し回数が増える毎に前記発信音量を大きいレベルにして発信させるようにしてもよい。これらの温質や音量の設定は、給湯器２７の出荷時に予め行ってもよいし、リモコン装置１，２に、これらの設定用の設定手段を設けて行ってもよい。なお、緊急地震速報が誤報のときには、「緊急地震速報」の音声と、「ピー」という音の発信は解除される。
【００６１】
表示制御部４５は、緊急地震速報受信部４０が緊急地震速報を受信したことと、その震度情報（震度情報判断部４２により判断した震度情報）とを、表示画面３２の制御によって、表示画面３２に区別表示させる。具体的には、表示制御部４５は、表示画面３２に、「緊急地震速報」の文字と共に、「震度３」、「震度４」といった文字表示を行ったり、震度を表す数字のみを表示させたりする。また、表示制御部４５は、前記ランプ３９の点滅表示と、風呂リモコン装置１の蓋部４８を開いた領域Ａに設けられている各種の操作スイッチ（隠し操作スイッチ）のランプ点滅表示も繰り返し行うようにしている。
【００６２】
この表示制御部４５による緊急地震速報の表示は、緊急地震速報受信部４０により緊急地震速報を受信してから予め定められた期間、行うものである。本実施例において、表示制御部４５は、時計機構５１の情報を取り込み、給湯器２７の動作中に緊急地震速報受信部４１が緊急地震速報を受信したときに、その緊急地震速報を受信してから予め定められた期間内（例えば１分間）は、受信した緊急地震速報の情報と給湯器２７の運転関連情報とを表示画面３２に交互に表示させる。なお、誤報のときには、表示が解除される。本実施例では、前記の如く、的確に判断した震度情報を表示制御部４５が表示画面３２に表示させるので、その表示も的確に行うことができる。
【００６３】
表示制御部４５は、緊急地震速報の情報と給湯器２７の運転関連情報とを表示画面３２に交互に表示させるときの、緊急地震速報の情報の表示時間を、給湯器２７の運転関連情報の表示時間よりも長くする。例えば、緊急地震速報の情報の表示時間を０．８秒、給湯器２７の運転関連情報の表示時間を０．５秒とする。また、表示制御部４５は、緊急地震速報の情報と給湯器２７の運転関連情報とを情報表示部に交互に表示させるときの、緊急地震速報の情報の表示輝度を、給湯器２７の運転関連情報の表示輝度よりも大きくする。
【００６４】
なお、緊急地震速報の表示は、一例として、図３に示したような「緊急地震速報」の文字表示があげられるが、特に限定されるものでなく、適宜設定されるものである。また、本実施例では、緊急地震速報の情報と熱源装置の運転関連情報とを情報表示部に交互に表示させるときの、緊急地震速報の情報の表示時間を給湯器２７の運転関連情報の表示時間よりも長くする表示時間制御と、緊急地震速報の情報の表示輝度を給湯器２７の運転関連情報の表示輝度よりも大きくする表示輝度制御の両方を行うようにしているが、そのいずれか一方でもよいし、これらの制御は行わなくてもよい。また、緊急地震速報の表示の際に運転関連情報の表示を交互に行わずに、連続して緊急地震速報の表示を行ってもよい。
【００６５】
また、表示制御部４５は、給湯器２７の動作停止中に緊急地震速報受信部４１が緊急地震速報を受信したときには、その緊急地震速報の情報を表示画面３２に連続的に表示させる構成としている。
【００６６】
報知設定手段３１は、風呂リモコン装置１と台所リモコン装置２の両方に設けることができるが、本実施例では、風呂リモコン装置１にのみ設けている。報知設定手段３１は、信号接続されているリモコン装置（つまり、ここでは台所リモコン装置２）と自己のリモコン装置（つまり、ここでは風呂リモコン装置１）の両方について、地震速報報知手段４１が音声報知と表示の一方または両方を行うか否かを設定する。
【００６７】
例えば、風呂リモコン装置１の蓋部４８を開き、図４のＡの領域に形成されている操作スイッチを操作して、表示画面３２に、「メニュー」、「その他」、「Ｄ−５」の順に表示画面３２に画面表示させる。そして、図７に示すような、「台所緊急地震速報音声」の画面表示において、「ＯＮ」を選択し、確定することにより、台所リモコン装置２における緊急地震速報の音声による報知を行うことに決定する。このように、報知設定手段３１を設けることにより、必要に応じ、報知設定手段によって、音声報知や表示の有無を設定できるので、便利である。
【００６８】
動作指示操作手段３７は、本実施例において、給湯器２７を運転させるための、運転スイッチ３５以外の操作を行うため手段であり、前記追い焚きスイッチ３３、自動スイッチ３６、通話スイッチ３８や、各種設定用の操作スイッチ等の複数の手段を示す。
【００６９】
指示動作受付制御手段４３は、地震速報報知手段４１による報知を行う地震速報報知モードの動作時には、動作指示操作手段３７の操作が行われても、その操作に応じた指示を受け付けずに、運転スイッチ３５の操作に伴う指示のみを受け付けるようにする。
【００７０】
つまり、本実施例において、給湯器２７の電源回路（図示せず）および燃焼運転制御回路（図示せず）は、いずれも、指示動作受付制御手段４３を介して、運転スイッチ３５、動作指示操作手段３７と接続されており、緊急地震速報受信部４０による緊急地震速報の受信時には、指示動作受付制御手段４３による制御に応じ、運転スイッチ３５の操作に伴う給湯器２７の運転のオンオフのみが行われるようにすることで、給湯器２７をオフする動作を可能とし、その他の動作（自動運転や追い焚き等の動作）は行われないように構成されている。なお、この指示動作受付制御手段４３の制御によって、運転スイッチ３５の操作に伴い、給湯器２７の運転をオフの状態からオンすることもできるが、緊急地震速報が発信されたときに、給湯器２７の運転をオフからオンにする必要はない。
【００７１】
また、指示動作受付制御手段４３は、この制御に伴い、地震速報報知モードの動作時には、運転スイッチ３５に設けられているランプ３９は点灯させるように、表示制御部４５に加え、表示制御部４５は、運転スイッチ３５のランプ３９を点灯させる。
【００７２】
また、本実施例では、地震速報報知手段４１による地震速報報知モードの動作時には、前記の如く、動作指示操作手段３７の操作に応じた、追い焚き運転指示等の指示を受け付けないが、動作指示操作手段３７の操作が予め定められた音声キャンセル設定回数だけ行われたときには、地震速報報知手段４１による音声報知をキャンセルし、さらに、震速報報知モードの動作時に予め定められた音声再報知設定回数だけ動作指示操作手段３７の操作が行われたときには、地震速報報知手段４１による音声報知を再開する構成としている。
【００７３】
なお、音声キャンセル設定回数や音声再報知設定回数は、それぞれ１つの値を設定することもできるが、本実施例では、音声キャンセル設定回数を奇数とし、音声再報知設定回数を偶数としている。つまり、地震速報報知手段４１による音声報知は、動作指示操作手段３７を構成する複数のスイッチのいずれかを１度押すと、キャンセルされ、２度押すと再開されるといったように、動作指示操作手段３７を押す毎に、地震速報報知手段４１による音声報知の有無が交互に切り替えられる。
【００７４】
本実施例は、このように構成することにより、緊急地震速報の受信を知った以降に、何度も繰り返し緊急地震速報の受信を音声により報知されることを望まない利用者が、動作指示操作手段３７を奇数回数押すことによって、音声報知をキャンセルでき、また、動作指示操作手段３７を偶数回押すことにより、前記音声報知を再開することができるようにしている。そのため、利用者が、例えば緊急地震速報の音声報知後に、音声報知をキャンセルしたいときには容易に行え、また、誤って動作指示操作手段を音声キャンセル設定回操作してしまった場合や、一度、緊急地震速報の音声報知をキャンセルしたものの、再開したい場合にも音声報知の再開を行え、使い勝手をよくすることができる。
【００７５】
また、震速報報知モードの動作時に、予め定められた音声キャンセル時間（例えば３秒間）以上、動作指示操作手段３７の操作が連続して行われたとき（報知キャンセル操作が行われたとき）には、次に緊急地震速報受信部４０が緊急地震速報を受信するまで、リモコン装置１，２の地震速報報知手段４１による音声報知と、風呂リモコン装置１の表示画面３２への「緊急地震速報」の表示をキャンセルする構成としている。このようにすると、地震速報報知手段４１の報知によって緊急地震速報を受信したことを知った以降に、それ以上、繰り返し緊急地震速報の報知を望まない利用者にとっての使い勝手をよくすることができる。
【００７６】
なお、台所リモコン装置２とインターホン６２との接続部分にショート故障が生じた場合には、インターホン６２から台所リモコン装置２への緊急地震速報の信号送信が無いにもかかわらず、台所リモコン装置２側では、緊急地震速報が受信された状態が継続することになる。その場合、台所リモコン装置２の表示画面３２には、図５に示したようなコード表示が、長い間、継続して行われるため、前記ショート故障等の故障が発生していることを知ることができる。それに対し、前記報知キャンセル操作が行われたときに、台所リモコン装置２の表示画面３２への緊急地震速報受信のコード表示もキャンセルしてしまうと、前記ショート故障等の故障の発生があっても分からなくなってしまう。そのため、本実施例では、前記キャンセル操作が行われても、台所リモコン装置２における緊急地震速報受信のコード表示はキャンセルしないようにしている。
【００７７】
表示操作部４６は、前記地震情報記憶部４４が記憶している情報を表示画面３２に表示させるための操作を行うものである。表示操作部４６は、リモコン装置１の蓋部４８を開いた領域Ａに設けられている操作スイッチを有して構成されており、表示画面３２の表示に基づき操作される。そして、表示操作部４６の操作に応じ、地震情報記憶部４４が記憶している複数件の緊急地震速報の情報のうち対応する緊急地震速報の情報を選択的に表示画面３２に表示する構成としている。
【００７８】
例えば、メニュースイッチ等の操作スイッチを操作することにより、表示画面３２に、「メニュー」、「その他」、「Ｄ−４」の順に表示させ、この「Ｄ−４」を選択決定すると、例えば受信履歴がない場合は、図８（ａ）に示すように、表示画面３２に、「緊急地震速報履歴、受信履歴はありません。」と表示される。また、緊急地震速報の履歴がある場合は、図８（ｂ）に示すように、表示画面３２に、「緊急地震速報履歴、受信履歴は２件です。」と、例えば２秒間、受信件数が表示される。つまり、本実施例では、表示操作部４６の操作に応じ、地震情報記憶部４４が記憶している緊急地震速報の件数を表示画面３２に表示する構成としている。
【００７９】
この緊急地震速報の件数の表示後、表示操作部４６を操作することにより、あるいは、表示切り替え用の設定時間が経過した後に、受信履歴の１番目の情報（最新情報）が、図８（ｃ）に示すように表示され、この状態で、図４のＡに示した領域にある設定関連操作部（操作スイッチ）の「△」印と「▽」印のスイッチを適宜押すことにより、地震情報記憶部４４が記憶している２番目以降の情報が表示される。また、各緊急地震速報の表示において、その経過時間も表示される。この経過時間の表示を詳細に行う機能は、最大３０日について設定されており、それ以上の場合は、「３０日以上前」という表示になる。なお、受信履歴の表示は、例えば３０秒といった設定時間後に給湯関連情報に切り替わる（給湯関連情報が表示画面３２に表示される）。
【００８０】
地震速報履歴消去操作部４７は、地震情報記憶部４４が記憶している緊急地震速報を消去するための操作部である。本実施例では、地震速報履歴消去操作部４７は、リモコン装置１の蓋部４８を開いた領域Ａに設けられている操作スイッチを有して構成されており、表示画面３２の表示に基づき操作される。つまり、地震速報履歴消去操作部４７は、地震情報記憶部４４が記憶している情報を消去するための手順をガイドする情報消去画面を表示画面３２に表示させて、地震情報記憶部４４が記憶している緊急地震速報を消去する操作を行うための操作部である。
【００８１】
例えば、「メニュー」、「その他」、「Ｄ−４」の順に表示画面３２に表示させ、この「Ｄ−４」を選択して、表示画面３２に、図８（ｂ）に示すような緊急地震速報の件数が表示された状態として、「△」の印のアップスイッチを連続して３秒以上押すと、表示画面３２に、「消去しますか？」の文字が表示されるので、この状態で決定スイッチを押すと、地震情報記憶部４４が記憶している緊急地震速報の受信履歴が全て消去される。なお、図８（ｃ）、（ｄ）に示したような、個別の緊急地震速報の情報を１つずつ、あるいは、複数件ずつ消去する操作方法を設定して、個別の緊急地震速報の情報を消去する構成を設けてもよい。
【００８２】
このような緊急地震速報の履歴消去の機能は、例えば給湯器２７の施工時の試運転時に緊急地震速報受信部４０が緊急地震速報を受信した場合に行われるものである。それというのは、給湯器２７の施工時に緊急地震速報の受信が行われても、その履歴を給湯器２７の利用者が知る必要は特にないと思われるからである。
【００８３】
本実施例は以上のように構成されており、緊急地震速報が発信されたときに、その緊急地震速報を、給湯器２７に信号接続された風呂リモコン装置１と台所リモコン装置２が報知するので、屋内にいる人（在宅中の人）が、故意に操作して見聞きしなくても、屋内にいる人に緊急地震速報の発信を知らせることができることに加え、その情報を地震情報記憶部によって履歴として記憶することができる。したがって、留守であった利用者に、その帰宅後に、地震情報記憶部が記憶した履歴に基づいて緊急地震速報の受信に関する情報を知らせることができる。
【００８４】
また、本実施例によれば、地震速報報知手段４１により緊急地震速報を報知することにより、利用者の在宅中に緊急地震速報が発信されたときには、その緊急地震速報を的確に知らせることができるが、この際、地震速報受信部４０が緊急地震速報を受信してから予め定められた期間内は、受信した緊急地震速報の情報と熱源装置の運転関連情報とを、情報表示部に交互に表示させることにより、在宅中の利用者に、緊急地震速報を受信したことを知らせると共に、そのときの熱源装置の運転関連情報をも利用者に知らせることができ、適切な判断を促すことができる。
【００８５】
なお、本実施例においては、給湯器２７の動作中に緊急地震速報受信部４０が緊急地震速報を受信したときには、緊急地震速報の情報と給湯器２７の運転関連情報とを表示画面３２に表示させるが、給湯器２７の動作停止中に緊急地震速報受信部４０が緊急地震速報を受信したときには、その緊急地震速報の情報を表示画面３２に連続的に表示させる。そのため、給湯器２７の動作停止中で、給湯器２７の運転関連情報を利用者に知らせる必要がないときには、緊急地震速報の情報を連続的に表示させて、緊急地震速報の情報を、利用者に的確に知らせることができる。
【００８６】
さらに、本実施例によれば、緊急地震速報の情報と熱源装置の運転関連情報とを情報表示部に交互に表示させるときの、緊急地震速報の情報の表示時間を給湯器２７の運転関連情報の表示時間よりも長くし、かつ、緊急地震速報の情報の表示輝度を給湯器２７の運転関連情報の表示輝度よりも大きくすることによって、緊急地震速報の情報表示を目立たせることができるので、利用者に、緊急地震速報受信に伴う対応をより一層促すことができる。
【００８７】
さらに、本実施例によれば、地震速報報知手段４１による報知を行う地震速報報知モードの動作時には、運転スイッチ３５の操作に伴う指示は受け付けるが、運転スイッチ３５以外の動作指示操作手段３７の操作が行われてもその操作に応じた指示を受け付けないため、地震が到着する前に、給湯器２７の運転をオフすることができると共に、それ以外の動作や設定等を受け付けずに、利用者には、地震到着に対処するよう促すことができる。
【００８８】
なお、本発明は前記実施例に限定されることなく、様々な実施の形態を採り得る。例えば、表示画面３２に、緊急地震速報を表示する際、地震情報記憶部４４が記憶している情報と共に、例えば図９に示すように、ＱＲコード（ＱＲコードは商標）を表示画面３２に表示するようにしてもよい。ここで表示するＱＲコードは、緊急地震速報受信部４０が受信した緊急地震速報の内容を管理している外部の地震情報管理機構に、携帯電話機等の情報端末を用いて、インターネットを通じてアクセスするための通信アクセスコードである。また、表示画面３２に、ＱＲコード以外の他の通信アクセスコードを表示するようにしてもよい。
【００８９】
さらに、前記実施例で報知した震度情報に変えて、あるいは、震度情報に加え、マグニチュード情報を送信、表示、報知、記憶するようにしてもよい。マグニチュードの大きさと震源の位置によって、地震に伴う津波が発生する可能性の高さが異なるために、マグニチュード情報を事前に察知できれば、津波に対する対応が取りやすくなるものであり、マグニチュード情報は、特に海岸に面している地方の人々にとって重要である。なお、津波は、地震発生から長時間経過後に到着する場合もある。
【００９０】
現在は、地震発生後に、津波が発生する可能性がある場合には、海岸に面している地方の人々に対して、防災無線を通じ、電信柱等に設けられているスピーカから、津波の発生の可能性があるために避難するように報知することが行われているが、住戸の高断熱化が進み、窓に二重ガラス等を適用されている場合等は、防災無線が聞き取りにくい。その場合でも、本発明において、リモコン装置等の屋内配置の操作装置によって緊急地震速報と共に、その地震のマグニチュード情報を報知することにより、屋内にいる人に、津波の発生の可能性を知らせることができるし、マグニチュード情報を記憶することにより、屋外から帰宅などにより屋内に戻った人に、津波の発生の可能性を知らせることができる。
【００９１】
さらに、前記実施例では、緊急地震速報受信部４０が緊急地震速報の受信を検知したときに、音声とランプ３９の点滅と表示画面３２へのメッセージ表示とを行うようにしたが、これらのいずれか１つまたは２つにより、緊急地震速報を報知してもよい。また、表示画面３２への表示の仕方も適宜設定されるものである。
【００９２】
さらに、緊急地震速報の履歴を表示させる際に、前記実施例では、緊急地震速報を受信してからの経過時間を表示させるようにしたが、その代わりに、緊急地震速報の受信日時を表示してもよいし、緊急地震速報受信日時と緊急地震速報を受信してからの経過時間の両方の情報を記憶するようにしてもよい。
【００９３】
さらに、前記実施例のように、複数の緊急地震速報の履歴が有る場合に、前記実施例では、その履歴を新しいものから順に表示させる構成としたが、その逆に、古い順に表示させるようにしてもよく、その履歴の表示態様は適宜設定されるものである。
【００９４】
さらに、前記実施例では、緊急地震速報の情報と熱源装置の運転関連情報とを情報表示部に交互に表示させるときの、緊急地震速報の情報の表示時間を給湯器２７の運転関連情報の表示時間よりも長くする表示時間制御と、緊急地震速報の情報の表示輝度を給湯器２７の運転関連情報の表示輝度よりも大きくする表示輝度制御の両方を行ったが、そのいずれか一方でもよいし、これらの制御は行わなくてもよい。また、緊急地震速報の表示の際に運転関連情報の表示を交互に行わずに、連続して緊急地震速報の表示を行ってもよい。また、連続的に表示せずに、「地震表示」と「消灯」の点滅表示で、注意を喚起するようにしてもよい。
【００９５】
さらに、前記実施例では、表示制御部４５は、給湯器２７の動作停止中に緊急地震速報受信部４１が緊急地震速報を受信したときには、その緊急地震速報の情報を表示画面３２に連続的に表示させる構成としたが、連続的に表示せずに、「地震表示」と「消灯」の点滅表示で注意を喚起するようにしてもよい。
【００９６】
さらに、前記実施例では、地震速報履歴消去部４７は、地震情報記憶部４４が記憶している情報を消去するための手順をガイドする情報消去画面を表示画面３２に表示させて、地震情報記憶部４４が記憶している緊急地震速報を消去する操作を行うものとしたが、地震速報履歴消去部４７は、情報消去画面の表示等を行わせずに、単純なオンオフ操作によって、地震情報記憶部４４が記憶している緊急地震速報を消去する操作を行うものとしてもよい。
【００９７】
さらに、リモコン装置１において、蓋部４８の内側に設けた（図４のＡの領域に設けた）操作スイッチの詳細や、その操作の仕方は、適宜設定されるものであり、その設定の仕方によって、リモコン装置１，２は、様々な設定や操作を行うことができるものである。例えば２つの操作スイッチを同時に押すことにより、表示画面３２に、通常は表示しないような表示（例えば緊急地震速報履歴の消去画面等）を表すことができるようにしてもよい。
【００９８】
さらに、前記実施例では、図１に示したような緊急地震速報に関する制御構成を設けたが、本発明のリモコン装置は、図１に示した構成のうち、少なくとも緊急地震速報受信部４０と地震情報記憶部４４とを有していればよく、その他の構成は、必要に応じて適宜設けられるものである。つまり、本発明のリモコン装置において、緊急地震速報受信部４０で受信した緊急地震速報を地震情報記憶部４４に記憶しておけば、例えば、記憶した内容を表示したり音声発信したりできる外部装置等をリモコン装置と電気的に接続することも可能であり、緊急地震速報の履歴を利用者に知らせることができる。ただし、前記実施例のような各構成要素を設けることによって、緊急地震速報の受信時に、受信検知や受信内容を利用者に知らせることができる等、リモコン装置の利便性を高めることができる。
【００９９】
さらに、前記実施例では、給湯器２７の制御装置３を介して風呂リモコン装置１と台所リモコン装置２とを電気的に接続する例を述べたが、さらに、例えば洗面所等に設けられる増設のリモコン装置を、制御装置３を介して風呂リモコン装置１や台所リモコン装置２と電気的に接続してもよい。この場合、増設リモコンにも、風呂リモコン装置１や台所リモコン装置２と同様に、緊急地震速報受信部４０と地震情報記憶部４４等を設けて、緊急地震速報の受信と、その履歴の記憶とを行えるようにしてもよい。
【０１００】
さらに、本発明のリモコン装置は、例えばラジオ放送や文字放送の受信および再生の機能を有していても、有していなくてもよいし、テレビ放送等の他の放送受信機能やインターホン機能等の付加機能付きのものでもよい。
【０１０１】
さらに、前記実施例ではリモコン装置が接続される給湯器２７はガスを燃料とした給湯器としたが、給湯器等の熱源装置の熱源は、ガス、石油、電気を問わず、また、貯湯式のものでも構わない。また、前記実施例では、給湯器２７は、給湯機能、湯張り機能、保温機能、追い焚き機能、足し湯機能、ぬる湯機能を具備していたが、これらの全ての機能を具備していなくてもよく、また、他の機能を具備していてもよい。
【０１０２】
さらに、本発明のリモコン装置は、給湯器２７以外の、風呂釜や暖房装置等の熱源装置に信号接続される屋内配置のリモコン装置としてもよい。
【０１０３】
さらに、前記実施例では、リモコン装置をマンション等の集合住宅の各住宅６９に設ける例を挙げたが、リモコン装置は、オフィス等に設けてもよい。
【０１０４】
さらに、各住宅において、インターホン６２の近くに台所リモコン装置２が配置されている場合があり、このような場合に、インターホン６２と台所リモコン装置２の両方が同時に地震速報を音声出力により報知すると、かえって、地震速報が利用者に伝わらない可能性がある。そこで、例えばインターホン６２と台所リモコン装置２の配置形態によっては、台所リモコン装置２での地震速報の音声出力による報知は行わず、風呂リモコン装置１（あるいは、風呂リモコン装置１と増設リモコン装置）により行うようにしてもよい。この場合は、風呂リモコン装置１の報知設定手段３１により、台所リモコン装置２に地震速報の音声出力のオンオフの設定を行う。
【０１０５】
さらに、前記実施例では、風呂リモコン装置１に報知設定手段３１を設けたが、報知設定手段３１は、台所リモコン装置２に設けてもよいし、風呂リモコン装置１と台所リモコン装置２の両方に設けてもよい。なお、報知設定手段３１は、信号接続されているリモコン装置と自己のリモコン装置の少なくとも一方について地震速報報知手段が音声報知と表示の一方または両方を行うか否かを設定する手段とすればよい。
【０１０６】
さらに、インターホン６２からリモコン装置１，２に送信する信号は、図６に示した形態に限定されるものではなく、適宜設定されるものであり、例えば震度５以上と震度３〜５弱との２種類の震度を区別できるような信号としてもよい。
【０１０７】
さらに、前記実施例では、図２に示したような緊急地震速報の伝達システムを適用し、受信機６４側からインターホン６２に加えられる信号をリモコン装置１，２が受けるようにしたが、緊急地震速報の伝達システムの構成や、緊急地震速報の受信の検知方法は適宜設定されるものである。例えば、各住宅に緊急地震速報が安価で配信されるようになった場合に、その配信信号をリモコン装置１，２の緊急地震速報受信部４０が受けて、緊急地震速報を受信してもよい。
【０１０８】
また、電話回線を用いて緊急地震速報が送られるようになった場合には、電話機とリモコン装置１，２とを信号接続して、電話機を介してリモコン装置１，２が緊急地震速報を受信するようにしてもよい。
【０１０９】
さらに、前記実施例では、インターホン６２に加えられる信号を、給湯器２７の制御装置３を介して風呂リモコン装置１に加えるようにしたが、前記信号を、給湯器２７を介さずに直接、風呂リモコン装置１に加えるようにし、風呂リモコン装置１により単独で信号処理を行うようにしてもよい。
【０１１０】
さらに、前記実施例の操作装置は、熱源装置に信号接続されるリモコン装置としたが、本発明は、熱源装置に変えて、家電装置（家電製品）の回路に信号接続される操作装置としてもよい。なお、本発明において、家電装置とは、洗濯機、冷蔵庫、エアコン等の家電製品に加え、制御回路を商用電源駆動とするガスコンロや電動で開閉するシャッター（雨戸）、マンション等のボイラ室やベランダ等に設けられているボイラ等も含むものである。また、これらが、家庭のみならず、会社や学校、ホテル等の施設に設けられている場合も、家電装置と呼ぶ。
【０１１１】
家電装置に信号接続されている操作装置は、家電装置回路（商用電源駆動）に信号接続される家電装置内に設けられていることが多く、この場合、家電装置内に、表示操作部や情報表示部が配置されており、通常、これらの配置領域内またはその近傍に、地震情報記憶部を持つことになる。なお、家電装置が冷蔵庫の場合、例えば情報表示部がドアの前面にあり、例えば表示操作部は冷蔵庫の庫内にあり、これらの２つを合わせて操作装置を形成してもよい。この場合、地震情報記憶部はどちらにあっても構わない。また、エアコンの場合、例えば情報表示部が室内機の前面にあり、例えば表示操作部は赤外線リモコンにあり、これらの２つを合わせて操作装置を形成してもよい。なお、この場合、地震情報記憶部は室内機側にあることが好ましい。
【０１１２】
また、操作装置が家電装置に信号接続されている場合、信号接続線（例えば２芯）に、表示操作部や情報表示部への給電用電気（例えばＤＣ１２Ｖ）を印加すると共に、家電装置回路と操作部（または表示操作部）間の信号を重調させてもよい。さらに、表示操作部や情報表示部側に信号重調などにより不安定と成りやすい給電用電気の安定化のために、フラットクラスのコンデンサ（一種の蓄電池。バックアップ用の充電池であっても構わない）をつけてもよい。
【０１１３】
このようなバックアップ電源があると、実際に地震発生後に商用電源が止まっても、バックアップ電源により地震情報記憶を呼び出すことができ、例えば海辺近くで地震に遭遇した場合に、震源が内陸側なのか海側かなのかで、近所の火災消火（例えばＬＰＧボンベのガス栓を閉じて回る）に協力するか、高台に避難するか等、地震後の行動を決める手がかりを、例えばＱＲコードを通じて得ることができる。
【産業上の利用可能性】
【０１１４】
本発明の操作装置は、緊急地震速報の受信履歴を記憶できるので、在宅中のみならず、留守中に受信した緊急地震速報の履歴を利用者に知らせることができ、緊急地震速報の受信回数やその頻度等を利用者が把握でき、また、緊急地震速報受信機能が正常か否かの確認も可能であるので、防災用として利用できる。
【符号の説明】
【０１１５】
１      風呂リモコン装置
２      台所リモコン装置
３      制御装置
２０    地震情報関連制御部
２７    給湯器
３０    信号送信制御部
３１    報知設定手段
３２    表示画面
３７    動作指示操作手段
４０    緊急地震速報受信部
４１    地震情報報知手段
４２    震度情報判断部
４３    指示動作受付制御手段
４４    地震情報記憶部
４５    表示制御部
５４    音量レベル制御手段
４６    表示操作部
４７    地震速報履歴消去操作部
【図１】
2010239475.tif 000003
【図２】
2010239475.tif 000004
【図３】
2010239475.tif 000005
【図４】
2010239475.tif 000006
【図５】
2010239475.tif 000007
【図６】
2010239475.tif 000008
【図７】
2010239475.tif 000009
【図８】
2010239475.tif 000010
【図９】
2010239475.tif 000011
【図１０】
2010239475.tif 000012
【図１１】
2010239475.tif 000013